(57)【特許請求の範囲】
【請求項１】
その内部に第１按摩ユニットが設けられており、前記第１按摩ユニットから第１按摩ヘッドが外側に延びており、前記第１按摩ヘッドにより、ネック部、背部、腰部及び足部の右後側に対して、定点で按摩し、又は左右に繰り返して移動しながら按摩することが可能であり、前記第１按摩ユニットは第１ケース部を含み、その内部には、前記第１ケース部の横方向に沿う移動の軌跡に合うレールが複数設けられており、前記第１ケース部には、前記レールにそれぞれ対応する第１スライド溝が複数設けられており、前記第１ケース部の内部には、第１ギアユニットと、前記第１ギアユニットと噛み合う第１モータの第１ワームと、が設けられており、前記第１ギアユニットに第４ギア軸が固定されており、前記第４ギア軸は前記第１按摩ヘッドと第１一方向ベアリングを駆動可能であり、前記第１一方向ベアリングは第１傘歯車を駆動可能であり、第１人字形溝付きねじ軸は、一端に第２傘歯車が固定されており、前記第１ケース部を挿通して外部に突出し、前記第１傘歯車と前記第２傘歯車は互いに噛み合い、前記第１人字形溝付きねじ軸の他端に第１支持台が設けられており、前記第１支持台の内部に第１バネが設けられており、前記第１バネは第１歯形ブロックを付勢して、前記第１歯形ブロックが前記第１人字形溝付きねじ軸の第１人字形溝と噛み合い、前記第１ギアユニットは、第２下ギアと、第２上ギアと、第３下ギアと、第３上ギアと、第４ギアと、を備え、前記第１ワームは前記第２下ギアと噛み合い、前記第２下ギアと一体に結合する前記第２上ギアは前記第３下ギアと噛み合い、前記第３下ギアと一体に結合する前記第３上ギアは前記第４ギアと噛み合い、前記第４ギアは前記第４ギア軸に固定されており、前記第１按摩ユニットの左側に一セットの軸部が設けられており、前記軸部の内部には、軸方向に沿って移動可能な係止具が設けられている右挟み台と、
その内部に第２按摩ユニットが設けられており、前記第２按摩ユニットから第２按摩ヘッドが外側に延びており、前記第２按摩ヘッドにより、ネック部、背部、腰部及び足部の左後側に対して、定点で按摩し、又は左右に繰り返して移動しながら按摩することが可能であり、前記第２按摩ユニットは第２ケース部を含み、その内部には、前記第２ケース部の横方向に沿う移動の軌跡に合うレールが複数設けられており、前記第２ケース部には、前記レールにそれぞれ対応する第２スライド溝が複数設けられており、前記第２ケース部の内部には、第２ギアユニットと、前記第２ギアユニットと噛み合う第２モータの第２ワームと、が設けられており、前記第２ギアユニットに第７ギア軸が固定されており、前記第７ギア軸は前記第２按摩ヘッドと第２一方向ベアリングを駆動可能であり、前記第２一方向ベアリングは第３傘歯車を駆動可能であり、第２人字形溝付きねじ軸は、一端に第４傘歯車が固定されており、前記第２ケース部を挿通して外部に突出し、前記第３傘歯車と前記第４傘歯車は互いに噛み合い、前記第２人字形溝付きねじ軸の他端に第２支持台が設けられており、前記第２支持台の内部に第２バネが設けられており、前記第２バネは第２歯形ブロックを付勢して、前記第２歯形ブロックが前記第２人字形溝付きねじ軸の第２人字形溝と噛み合い、前記第２ギアユニットは、第５下ギアと、第５上ギアと、第６下ギアと、第６上ギアと、第７ギアと、を備え、前記第２ワームは前記第５下ギアと噛み合い、前記第５下ギアと一体に結合する前記第５上ギアは前記第６下ギアと噛み合い、前記第６下ギアと一体に結合する前記第６上ギアは前記第７ギアと噛み合い、前記第７ギアは前記第７ギア軸に固定されており、前記第２按摩ユニットの右側に揺動体が設けられており、前記揺動体は、前記軸部に角度調整可能に枢着されており、前記係止具に応じて環状歯が複数設けられており、前記係止具は、復帰力を受けてこれらの前記環状歯に嵌合し、制御ユニットは、露呈するように前記軸部に取り付けられており、バネが嵌められている制御ユニットは前記係止具に固定されており、制御により、前記制御ユニットが前記係止具を押さえて軸方向に沿って移動してこれらの環状歯から離脱し、又は前記バネの弾力によって前記係止具が復帰する左挟み台と、
を含むことを特徴とする挟み式マッサージ機。
【請求項２】
前記左挟み台と前記右挟み台との後ろ方には、更に、フレームが設けられており、前記フレームは、円弧形を呈する条状にされ、その両側にハンドルがそれぞれ形成されており、中央シャフトは前記フレームの中央に固定されており、前記中央シャフトには、一つ以上のねじりバネを有する捩り中心が枢着されており、前記右挟み台は、その左側にある一セットのラグ穴が前記中央シャフトに枢着されており、前記ねじりバネの第１自由端に弾性的に押付けられて、その右側にある自由端が前記ハンドルから離れるように旋回し、前記左挟み台は、その右側にある一セットのラグ穴が前記中央シャフトに枢着されており、前記ねじりバネの第２自由端に弾性的に押付けられて、その左側にある自由端が前記ハンドルから離れるように旋回し、これにより、前記右挟み台の右側の自由端と前記左挟み台の左側の自由端は、互い近接してユーザを挟むことが可能であることを特徴とする、請求項１に記載の挟み式マッサージ機。
【請求項３】
その内部に第１按摩ユニットが設けられており、前記第１按摩ユニットから第１按摩ヘッドが外側に延びており、前記第１按摩ヘッドにより、ネック部、背部、腰部及び足部の右後側に対して、定点で按摩し、又は左右に繰り返して移動しながら按摩することが可能であり、前記第１按摩ユニットは第１ケース部を含み、その内部には、前記第１ケース部の横方向に沿う移動の軌跡に合うレールが複数設けられており、前記第１ケース部には、前記レールにそれぞれ対応する第１スライド溝が複数設けられており、前記第１ケース部の内部には、第１ギアユニットと、前記第１ギアユニットと噛み合う第１モータの第１ワームと、が設けられており、前記第１ギアユニットに第４ギア軸が固定されており、前記第４ギア軸は前記第１按摩ヘッドと第１一方向ベアリングを駆動可能であり、前記第１一方向ベアリングは第１傘歯車を駆動可能であり、第１人字形溝付きねじ軸は、一端に第２傘歯車が固定されており、前記第１ケース部を挿通して外部に突出し、前記第１傘歯車と前記第２傘歯車は互いに噛み合い、前記第１人字形溝付きねじ軸の他端に第１支持台が設けられており、前記第１支持台の内部に第１バネが設けられており、前記第１バネは第１歯形ブロックを付勢して、前記第１歯形ブロックが前記第１人字形溝付きねじ軸の第１人字形溝と噛み合い、前記第１ギアユニットは、第２下ギアと、第２上ギアと、第３下ギアと、第３上ギアと、第４ギアと、を備え、前記第１ワームは前記第２下ギアと噛み合い、前記第２下ギアと一体に結合する前記第２上ギアは前記第３下ギアと噛み合い、前記第３下ギアと一体に結合する前記第３上ギアは前記第４ギアと噛み合い、前記第４ギアは前記第４ギア軸に固定されており、前記第１按摩ユニットの左側に一セットの軸部が設けられている右挟み台と、
その内部に第２按摩ユニットが設けられており、前記第２按摩ユニットから第２按摩ヘッドが外側に延びており、前記第２按摩ヘッドにより、ネック部、背部、腰部及び足部の左後側に対して、定点で按摩し、又は左右に繰り返して移動しながら按摩することが可能であり、前記第２按摩ユニットは第２ケース部を含み、その内部には、前記第２ケース部の横方向に沿う移動の軌跡に合うレールが複数設けられており、前記第２ケース部には、前記レールにそれぞれ対応する第２スライド溝が複数設けられており、前記第２ケース部の内部には、第２ギアユニットと、前記第２ギアユニットと噛み合う第２モータの第２ワームと、が設けられており、前記第２ギアユニットに第７ギア軸が固定されており、前記第７ギア軸は前記第２按摩ヘッドと第２一方向ベアリングを駆動可能であり、前記第２一方向ベアリングは第３傘歯車を駆動可能であり、第２人字形溝付きねじ軸は、一端に第４傘歯車が固定されており、前記第２ケース部を挿通して外部に突出し、前記第３傘歯車と前記第４傘歯車は互いに噛み合い、前記第２人字形溝付きねじ軸の他端に第２支持台が設けられており、前記第２支持台の内部に第２バネが設けられており、前記第２バネは第２歯形ブロックを付勢して、前記第２歯形ブロックが前記第２人字形溝付きねじ軸の第２人字形溝と噛み合い、前記第２ギアユニットは、第５下ギアと、第５上ギアと、第６下ギアと、第６上ギアと、第７ギアと、を備え、前記第２ワームは前記第５下ギアと噛み合い、前記第５下ギアと一体に結合する前記第５上ギアは前記第６下ギアと噛み合い、前記第６下ギアと一体に結合する前記第６上ギアは前記第７ギアと噛み合い、前記第７ギアは前記第７ギア軸に固定されており、前記第２按摩ユニットの右側に揺動体が設けられており、角度定位装置は、前記揺動体に設けらてれいる若干の定位溝と、これらの前記定位溝に応じて前記軸部に設けられている作動溝と、前記作動溝に収容される復帰バネと、前記作動溝に収容され、前記復帰バネに付勢されて一部が前記定位溝に嵌合されている定位玉と、を備える左挟み台と、
を含むことを特徴とする挟み式マッサージ機。
【請求項４】
前記左挟み台と前記右挟み台との後ろ方には、更に、フレームが設けられており、前記フレームは、円弧形を呈する条状にされ、その両側にハンドルがそれぞれ形成されており、中央シャフトは前記フレームの中央に固定されており、前記中央シャフトには、一つ以上のねじりバネを有する捩り中心が枢着されており、前記右挟み台は、その左側にある一セットのラグ穴が前記中央シャフトに枢着されており、前記ねじりバネの第１自由端に弾性的に押付けられて、その右側にある自由端が前記ハンドルから離れるように旋回し、前記左挟み台は、その右側にある一セットのラグ穴が前記中央シャフトに枢着されており、前記ねじりバネの第２自由端に弾性的に押付けられて、その左側にある自由端が前記ハンドルから離れるように旋回し、これにより、前記右挟み台の右側の自由端と前記左挟み台の左側の自由端は、互い近接してユーザを挟むことが可能であることを特徴とする、請求項３に記載の挟み式マッサージ機。
【発明の詳細な説明】
【技術分野】
【０００１】
本発明は、マッサージ機に関し、特に、ネック部、背部、腰部、又は足部の両側を挟んで、二セットの按摩ヘッドにより当該部位を定点で按摩し、又は左右に繰り返して移動しながら按摩する挟み式マッサージ機に関するものである。
【背景技術】
【０００２】
商工業が高度に発展されている現在では、国民は生理的及び心理的なストレスが極めて高い。心理的なストレスは、少し休むと解消することが可能であるが、生理的なストレスの解消はマッサージ機を利用しないと解消できない。市販しているマッサージ機は、按摩方式が単純であるため、例えば背部を按摩したい場合には、背部マッサージ機を購入することが必要であり、足部を按摩したい場合には、足部マッサージ機を別に購入することが必要である。このように、金銭を無駄に浪費し、そして収納スペースをかなり掛かる。
【０００３】
上記の問題を解決するために、按摩ベッドなどの大型のマッサージ機が開発されて市販しているが、このような大型のマッサージ機は、据付スペースをかなり掛かり、一回で一つの部位しかを按摩できず、そして価格が高いため、国民は気軽に購入することができない。
【発明の概要】
【発明が解決しようとする課題】
【０００４】
本発明の主な目的は、ネック部、背部、腰部、又は足部の両側を挟んで、二セットの按摩ヘッドにより当該部位を定点で按摩し、又は左右に繰り返して移動しながら按摩する挟み式マッサージ機を提供することにある。
【課題を解決するための手段】
【０００５】
本発明の挟み式マッサージ機によると、その内部に第１按摩ユニットが設けられており、第１按摩ユニットから第１按摩ヘッドが外側に延びており、第１按摩ヘッドにより、ネック部、背部、腰部及び足部の右後側に対して、定点で按摩し、又は左右に繰り返して移動しながら按摩することが可能であり、第１按摩ユニットは第１ケース部を含み、その内部には、第１ケース部の横方向に沿う移動の軌跡に合うレールが複数設けられており、第１ケース部には、レールにそれぞれ対応する第１スライド溝が複数設けられており、第１ケース部の内部には、第１ギアユニットと、第１ギアユニットと噛み合う第１モータの第１ワームと、が設けられており、第１ギアユニットに第４ギア軸が固定されており、第４ギア軸は第１按摩ヘッドと第１一方向ベアリングを駆動可能であり、第１一方向ベアリングは第１傘歯車を駆動可能であり、第１人字形溝付きねじ軸は、一端に第２傘歯車が固定されており、第１ケース部を挿通して外部に突出し、第１傘歯車と第２傘歯車は互いに噛み合い、第１人字形溝付きねじ軸の他端に第１支持台が設けられており、第１支持台の内部に第１バネが設けられており、第１バネは第１歯形ブロックを付勢して、第１歯形ブロックが第１人字形溝付きねじ軸の第１人字形溝と噛み合い、第１ギアユニットは、第２下ギアと、第２上ギアと、第３下ギアと、第３上ギアと、第４ギアと、を備え、第１ワームは第２下ギアと噛み合い、第２下ギアと一体に結合する第２上ギアは第３下ギアと噛み合い、第３下ギアと一体に結合する第３上ギアは第４ギアと噛み合い、第４ギアは第４ギア軸に固定されており、第１按摩ユニットの左側に一セットの軸部が設けられており、軸部の内部には、軸方向に沿って移動可能な係止具が設けられている右挟み台と、その内部に第２按摩ユニットが設けられており、第２按摩ユニットから第２按摩ヘッドが外側に延びており、第２按摩ヘッドにより、ネック部、背部、腰部及び足部の左後側に対して、定点で按摩し、又は左右に繰り返して移動しながら按摩することが可能であり、第２按摩ユニットは第２ケース部を含み、その内部には、第２ケース部の横方向に沿う移動の軌跡に合うレールが複数設けられており、第２ケース部には、レールにそれぞれ対応する第２スライド溝が複数設けられており、第２ケース部の内部には、第２ギアユニットと、第２ギアユニットと噛み合う第２モータの第２ワームと、が設けられており、第２ギアユニットに第７ギア軸が固定されており、第７ギア軸は第２按摩ヘッドと第２一方向ベアリングを駆動可能であり、第２一方向ベアリングは第３傘歯車を駆動可能であり、第２人字形溝付きねじ軸は、一端に第４傘歯車が固定されており、第２ケース部を挿通して外部に突出し、第３傘歯車と第４傘歯車は互いに噛み合い、第２人字形溝付きねじ軸の他端に第２支持台が設けられており、第２支持台の内部に第２バネが設けられており、第２バネは第２歯形ブロックを付勢して、第２歯形ブロックが第２人字形溝付きねじ軸の第２人字形溝と噛み合い、第２ギアユニットは、第５下ギアと、第５上ギアと、第６下ギアと、第６上ギアと、第７ギアと、を備え、第２ワームは第５下ギアと噛み合い、第５下ギアと一体に結合する第５上ギアは第６下ギアと噛み合い、第６下ギアと一体に結合する第６上ギアは第７ギアと噛み合い、第７ギアは第７ギア軸に固定されており、第２按摩ユニットの右側に揺動体が設けられており、揺動体は、軸部に角度調整可能に枢着されており、係止具に応じて環状歯が複数設けられており、係止具は、復帰力を受けてこれらの環状歯に嵌合し、制御ユニットは、露呈するように軸部に取り付けられており、バネが嵌められている制御ユニットは係止具に固定されており、制御により、制御ユニットが係止具を押さえて軸方向に沿って移動してこれらの環状歯から離脱し、又はバネの弾力によって係止具が復帰する左挟み台と、を含むことを特徴とする。
【０００６】
本発明の挟み式マッサージ機によると、左挟み台と右挟み台との後ろ方には、更に、フレームが設けられており、フレームは、円弧形を呈する条状にされ、その両側にハンドルがそれぞれ形成されており、中央シャフトはフレームの中央に固定されており、中央シャフトには、一つ以上のねじりバネを有する捩り中心が枢着されており、右挟み台は、その左側にある一セットのラグ穴が中央シャフトに枢着されており、ねじりバネの第１自由端に弾性的に押付けられて、その右側にある自由端がハンドルから離れるように旋回し、左挟み台は、その右側にある一セットのラグ穴が中央シャフトに枢着されており、ねじりバネの第２自由端に弾性的に押付けられて、その左側にある自由端がハンドルから離れるように旋回し、これにより、右挟み台の右側の自由端と左挟み台の左側の自由端は、互い近接してユーザを挟むことが可能であることを特徴とする。
【０００７】
本発明の挟み式マッサージ機によると、その内部に第１按摩ユニットが設けられており、第１按摩ユニットから第１按摩ヘッドが外側に延びており、第１按摩ヘッドにより、ネック部、背部、腰部及び足部の右後側に対して、定点で按摩し、又は左右に繰り返して移動しながら按摩することが可能であり、第１按摩ユニットは第１ケース部を含み、その内部には、第１ケース部の横方向に沿う移動の軌跡に合うレールが複数設けられており、第１ケース部には、レールにそれぞれ対応する第１スライド溝が複数設けられており、第１ケース部の内部には、第１ギアユニットと、第１ギアユニットと噛み合う第１モータの第１ワームと、が設けられており、第１ギアユニットに第４ギア軸が固定されており、第４ギア軸は第１按摩ヘッドと第１一方向ベアリングを駆動可能であり、第１一方向ベアリングは第１傘歯車を駆動可能であり、第１人字形溝付きねじ軸は、一端に第２傘歯車が固定されており、第１ケース部を挿通して外部に突出し、第１傘歯車と第２傘歯車は互いに噛み合い、第１人字形溝付きねじ軸の他端に第１支持台が設けられており、第１支持台の内部に第１バネが設けられており、第１バネは第１歯形ブロックを付勢して、第１歯形ブロックが第１人字形溝付きねじ軸の第１人字形溝と噛み合い、第１ギアユニットは、第２下ギアと、第２上ギアと、第３下ギアと、第３上ギアと、第４ギアと、を備え、第１ワームは第２下ギアと噛み合い、第２下ギアと一体に結合する第２上ギアは第３下ギアと噛み合い、第３下ギアと一体に結合する第３上ギアは第４ギアと噛み合い、第４ギアは第４ギア軸に固定されており、第１按摩ユニットの左側に一セットの軸部が設けられている右挟み台と、その内部に第２按摩ユニットが設けられており、第２按摩ユニットから第２按摩ヘッドが外側に延びており、第２按摩ヘッドにより、ネック部、背部、腰部及び足部の左後側に対して、定点で按摩し、又は左右に繰り返して移動しながら按摩することが可能であり、第２按摩ユニットは第２ケース部を含み、その内部には、第２ケース部の横方向に沿う移動の軌跡に合うレールが複数設けられており、第２ケース部には、レールにそれぞれ対応する第２スライド溝が複数設けられており、第２ケース部の内部には、第２ギアユニットと、第２ギアユニットと噛み合う第２モータの第２ワームと、が設けられており、第２ギアユニットに第７ギア軸が固定されており、第７ギア軸は第２按摩ヘッドと第２一方向ベアリングを駆動可能であり、第２一方向ベアリングは第３傘歯車を駆動可能であり、第２人字形溝付きねじ軸は、一端に第４傘歯車が固定されており、第２ケース部を挿通して外部に突出し、第３傘歯車と第４傘歯車は互いに噛み合い、第２人字形溝付きねじ軸の他端に第２支持台が設けられており、第２支持台の内部に第２バネが設けられており、第２バネは第２歯形ブロックを付勢して、第２歯形ブロックが第２人字形溝付きねじ軸の第２人字形溝と噛み合い、第２ギアユニットは、第５下ギアと、第５上ギアと、第６下ギアと、第６上ギアと、第７ギアと、を備え、第２ワームは第５下ギアと噛み合い、第５下ギアと一体に結合する第５上ギアは第６下ギアと噛み合い、第６下ギアと一体に結合する第６上ギアは第７ギアと噛み合い、第７ギアは第７ギア軸に固定されており、第２按摩ユニットの右側に揺動体が設けられており、角度定位装置は、揺動体に設けらてれいる若干の定位溝と、これらの定位溝に応じて軸部に設けられている作動溝と、作動溝に収容される復帰バネと、作動溝に収容され、復帰バネに付勢されて一部が定位溝に嵌合されている定位玉と、を備える左挟み台と、を含むことを特徴とする。
【０００８】
本発明の挟み式マッサージ機によると、左挟み台と右挟み台との後ろ方には、更に、フレームが設けられており、フレームは、円弧形を呈する条状にされ、その両側にハンドルがそれぞれ形成されており、中央シャフトはフレームの中央に固定されており、中央シャフトには、一つ以上のねじりバネを有する捩り中心が枢着されており、右挟み台は、その左側にある一セットのラグ穴が中央シャフトに枢着されており、ねじりバネの第１自由端に弾性的に押付けられて、その右側にある自由端がハンドルから離れるように旋回し、左挟み台は、その右側にある一セットのラグ穴が中央シャフトに枢着されており、ねじりバネの第２自由端に弾性的に押付けられて、その左側にある自由端がハンドルから離れるように旋回し、これにより、右挟み台の右側の自由端と左挟み台の左側の自由端は、互い近接してユーザを挟むことが可能であることを特徴とする。  
【発明の効果】
【０００９】
本発明の挟み式マッサージ機によれば、ネック部、背部、腰部、又は足部の両側を挟んで、二セットの按摩ヘッドにより当該部位を定点で按摩し、又は左右に繰り返して移動しながら按摩することが可能であるという効果を有する。
【図面の簡単な説明】
【００１０】
【図１】本発明の一実施例を示す分解斜視図である。
【図２】本発明の一実施例の一部を示す断面図である。
【図３】本発明の一実施例の右挟み台と左挟み台を示す分解斜視図である。
【図４】本発明の一実施例を示す分解斜視図である。
【図５】本発明の一実施例の組合済み状態を示す斜視図である。
【図６】本発明の一実施例の第１按摩ユニットを示す分解斜視図である。
【図７】本発明の一実施例の第２按摩ユニットを示す分解斜視図である。
【図８】本発明の一実施例の第１按摩ユニットの一部の組合済み状態を示す斜視図である。
【図９】本発明の一実施例を示す上面断面図である。
【図１０】本発明の一実施例が人体の曲線に合わせて挟み、又は開けることを示す図である。
【図１１】本発明の一実施例の第１按摩ユニットと第２按摩ユニットが横方向に沿って移動している状態を示す図である。
【図１２】本発明の一実施例により、肩部及びネック部を按摩する状態を示す図である。
【図１３】本発明の一実施例により、腰部を按摩する状態を示す図である。
【図１４】本発明の一実施例により、足部を按摩する状態を示す図である。
【発明を実施するための最良の形態】
【００１１】
以下、本発明の実施の形態を図面に基づいて説明する。
図１から図１４を参照する。図１は本発明の一実施例を示す分解斜視図であり、図２は本発明の一実施例の一部を示す断面図であり、図３は本発明の一実施例の右挟み台と左挟み台を示す分解斜視図であり、図４は本発明の一実施例を示す分解斜視図であり、図５は本発明の一実施例の組合済み状態を示す斜視図であり、図６は本発明の一実施例の第１按摩ユニットを示す分解斜視図であり、図７は本発明の一実施例の第２按摩ユニットを示す分解斜視図であり、図８は本発明の一実施例の第１按摩ユニットの一部の組合済み状態を示す斜視図であり、図９は本発明の一実施例を示す上面断面図であり、図１０は、発明の一実施例が人体の曲線に合わせて挟み、又は開けることを示す図であり、図１１は本発明の一実施例の第１按摩ユニットと第２按摩ユニットが横方向に沿って移動している状態を示す図であり、図１２は、本発明の一実施例により、肩部及びネック部を按摩する状態を示す図であり、図１３は、本発明の一実施例により、腰部を按摩する状態を示す図であり、図１４は、本発明の一実施例により、足部を按摩する状態を示す図である。本発明の一実施例は、右挟み台３０と、左挟み台４０と、を含む。
【００１２】
右挟み台３０は、その内部に第１按摩ユニット５０が設けられている。第１按摩ヘッド５６は、第１按摩ユニット５０から外側に延びている。第１按摩ヘッド５６により、ネック部、背部、腰部及び足部の右後側に対して、定点で按摩し、又は左右に繰り返して移動しながら按摩することが可能である。第１按摩ユニット５０は第１ケース部５１を含む。右挟み台３０の内部には、第１ケース部５１の横方向に沿う移動の軌跡に合うレール３３が複数設けられている。第１ケース部５１には、レール３３にそれぞれ対応する第１スライド溝５１１が複数設けられている。第１ケース部５１の内部には、第１ギアユニット５３と、第１ギアユニット５３と噛み合う第１モータ５２の第１ワーム５２１と、が設けられている。第１ギアユニット５３に第４ギア軸５５２が固定されている。第４ギア軸５５２は第１按摩ヘッド５６と第１一方向ベアリング５５３を駆動することが可能である。第１一方向ベアリング５５３は第１傘歯車５７を駆動することが可能である。第１人字形溝付きねじ軸５８は、一端に第２傘歯車５８１が固定されており、第１ケース部５１を挿通して外部に突出する。第１傘歯車５７と第２傘歯車５８１は互いに噛み合う。第１人字形溝付きねじ軸５８の他端に第１支持台５９が設けられている。第１支持台５９の内部に第１バネ５９１が設けられている。第１バネ５９１は第１歯形ブロック５９２を付勢して、第１歯形ブロック５９２が第１人字形溝付きねじ軸５８の第１人字形溝５８２と噛み合う。第１ギアユニット５３は、第２下ギア５３１と、第２上ギア５３２と、第３下ギア５４１と、第３上ギア５４２と、第４ギア５５１と、を含む。第１ワーム５２１は第２下ギア５３１と噛み合う。第２下ギア５３１と一体に結合する第２上ギア５３２は第３下ギア５４１と噛み合う。第３下ギア５４１と一体に結合する第３上ギア５４２は第４ギア５５１と噛み合う。第４ギア５５１は第４ギア軸５５２に固定されている。第１按摩ユニット５０の左側に一セットの軸部７０が設けられている。軸部７０の内部には、軸方向に沿って移動可能な係止具７１が設けられている。
【００１３】
左挟み台４０は、その内部に第２按摩ユニット６０が設けられている。第２按摩ヘッド６６は、第２按摩ユニット６０から外側に延びている。第２按摩ヘッド６６により、ネック部、背部、腰部及び足部の左後側に対して、定点で按摩し、又は左右に繰り返して移動しながら按摩することが可能である。第２按摩ユニット６０は第２ケース部６１を含む。左挟み台４０の内部には、第２ケース部６１の横方向に沿う移動の軌跡に合うレール４３が複数設けられている。第２ケース部６１には、レール４３にそれぞれ対応する第２スライド溝６１１が複数設けられている。第２ケース部６１の内部には、第２ギアユニット６３と、第２ギアユニット６３と噛み合う第２モータ６２の第２ワーム６２１と、が設けられている。第２ギアユニット６３に第７ギア軸６５２が固定されている。第７ギア軸６５２は第２按摩ヘッド６６と第２一方向ベアリング６５３を駆動することが可能である。第２一方向ベアリング６５３は第３傘歯車６７を駆動することが可能である。第２人字形溝付きねじ軸６８は、一端に第４傘歯車６８１が固定されており、第２ケース部６１を挿通して外部に突出する。第３傘歯車６７と第４傘歯車６８１は互いに噛み合う。第２人字形溝付きねじ軸６８の他端に第２支持台６９が設けられている。第２支持台６９の内部に第２バネ６９１が設けられている。第２バネ６９１は第２歯形ブロック６９２を付勢して、第２歯形ブロック６９２が第２人字形溝付きねじ軸６８の第２人字形溝６８２と噛み合う。第２ギアユニット６３は、第５下ギア６３１と、第５上ギア６３２と、第６下ギア６４１と、第６上ギア６４２と、第７ギア６５１と、を含む。第２ワーム６２１は第５下ギア６３１と噛み合う。第５下ギア６３１と一体に結合する第５上ギア６３２は第６下ギア６４１と噛み合う。第６下ギア６４１と一体に結合する第６上ギア６４２は第７ギア６５１と噛み合う。第７ギア６５１は第７ギア軸６５２に固定されている。第２按摩ユニット６０の右側に揺動体８０が設けられている。揺動体８０は、軸部７０に角度調整可能に枢着されており、係止具７１に応じて環状歯８１が複数設けられている。係止具７１は、復帰力を受けてこれらの環状歯８１に嵌合する。制御ユニット８２は、露呈するように軸部７０に取り付けられている。バネ８３が嵌められている制御ユニット８２は係止具７１に固定されている。ユーザの制御により、制御ユニット８２が係止具７１を押さえて軸方向に沿って移動してこれらの環状歯８１から離脱し、又はバネ８３の弾力によって係止具７１が復帰する。
【００１４】
左挟み台４０と右挟み台３０との後ろ方には、更に、角度定位装置９０を含む。角度定位装置９０は、揺動体８０に設けらてれいる若干の定位溝９１と、これらの定位溝９１に応じて軸部７０に設けられている作動溝９２と、作動溝９２に収容される復帰バネ９３と、作動溝９２に収容され、復帰バネ９３に付勢されて一部が定位溝９１に嵌合されている定位玉９４と、を含む。
【００１５】
図３から図１１を参照する。本発明の一実施例は、フレーム１０と、中央シャフト２０と、右挟み台３０と、左挟み台４０と、を含む。
【００１６】
フレーム１０は、円弧形を呈する条状にされ、その両側にハンドル１１がそれぞれ形成されている。
【００１７】
中央シャフト２０は、フレーム１０の中央位置に固定されており、一つ以上のねじりバネ２１を有する捩り中心２１１が枢着されている。
【００１８】
右挟み台３０は、その左側にあるラグ穴３１が中央シャフト２０に枢着されており、ねじりバネ２１の第１自由端２１２に押付けられて、その右側にある自由端３２がハンドルから離れるように旋回し、その内部に第１按摩ユニットが設けられている。第１按摩ユニットから、ユーザのネック部と背部と腰部と足部との右側を定点で按摩し、又は左右に繰り返して移動しながら按摩する第１按摩ヘッドが突出している。
【００１９】
左挟み台４０は、その右側にあるラグ穴４１が中央シャフト２０に枢着されており、ねじりバネ２１の第２自由端２１３に押付けられて、その左側にある自由端がハンドルから離れるように旋回する。右挟み台３０の右側にある自由端３２と左挟み台４０の左側にある自由端４２は、互いに近接して按摩対象部位を挟むことが可能である。左挟み台４０の内部に第２按摩ユニットが設けられている。第２按摩ユニットから、ユーザのネック部と背部と腰部と足部との左側を定点で按摩し、又は左右に繰り返して移動しながら按摩する第２按摩ヘッドが突出している。
【００２０】
第１按摩ユニット５０は第１ケース部５１を含む。右挟み台３０の内部には、第１ケース部５１の横方向に沿う移動の軌跡に合うレール３３が複数設けられている。第１ケース部５１には、レール３３にそれぞれ対応する第１スライド溝５１１が複数設けられている。第１ケース部５１の内部には、第１ギアユニット５３が設けられている。第１ギアユニット５３は、第２下ギア５３１と、第２上ギア５３２と、第３下ギア５４１と、第３上ギア５４２と、第４ギア５５１と、を含む。第１ケース部５１の内部には、第２下ギア５３１と噛み合う第１モータ５２第１ワーム５２１が設けられている。第２下ギア５３１と一体に結合する第２上ギア５３２は第３下ギア５４１と噛み合う。第３下ギア５４１と一体に結合する第３上ギア５４２は第４ギア５５１と噛み合う。第４ギア５５１は第４ギア軸５５２に固定されている。第４ギア軸５５２は、第１按摩ヘッド５６と第１一方向ベアリング５５３を駆動することが可能である。第１一方向ベアリング５５３は第１傘歯車５７を駆動することが可能である。第１人字形溝付きねじ軸５８は、一端に第２傘歯車５８１が固定されており、第１ケース部５１を挿通して外部に突出する。第１傘歯車５７と第２傘歯車５８１は互いに噛み合う。第１人字形溝付きねじ軸５８の他端に第１支持台５９が設けられている。第１支持台５９の内部に第１バネ５９１が設けられている。第１バネ５９１は第１歯形ブロック５９２を付勢して、第１歯形ブロック５９２が第１人字形溝付きねじ軸５８の第１人字形溝５８２と噛み合う。このように、第１歯形ブロック５９２が固定されているときには、、第１人字形溝付きねじ軸５８を回転すると、第１人字形溝付きねじ軸５８が第１歯形ブロック５９２に押付けられて左方に移動して、左方の限界に到達すると右方に移動して、右方の限界に到達すると左方に移動する。すなわち、このような移動は繰り返される。第１モータ５２の第１ワーム５２１は、第１ギアユニット５３を駆動して、第４ギア軸５５２を時計方向に回転する。このとき、第１一方向ベアリング５５３が駆動されて回転して、第１傘歯車５７、第２傘歯車５８１及び第１人字形溝付きねじ軸５８が駆動されて回転して、第１ケース部５１は、第１人字形溝付きねじ軸５８に駆動されて左方に移動して、左方の限界に到達すると右方に移動して、右方の限界に到達すると左方に移動する。すなわち、このような移動は繰り返される。そして第４ギア軸５５２は第１按摩ヘッド５６を駆動して回転する。これは、本考案の挟み式マッサージ機の左右に移動しながら按摩するモードである。第１モータ５２の第１ワーム５２１が第１ギアユニット５３を駆動して第４ギア軸５５２を反時計方向に回転するときには、第１一方向ベアリング５５３が空転し、第１ケース部５１が静止し、このとき、第４ギア軸５５２は第１按摩ヘッド５６を駆動して回転する。これは、本考案の挟み式マッサージ機の定点で按摩するモードである。
【００２１】
第２按摩ユニット６０は第２ケース部６１を含む。左挟み台４０の内部には、第２ケース部６１の横方向に沿う移動の軌跡に合うレール４３が複数設けられている。第２ケース部６１には、これらのレール４３にそれぞれ対応する第２スライド溝６１１が設けられている。第２ケース部６１の内部には、第２ギアユニット６３が設けられている。第２ギアユニット６３は、第５下ギア６３１と、第５上ギア６３２と、第６下ギア６４１と、第６上ギア６４２と、第７ギア６５１と、を含む。第２ケース部６１の内部には、第２モータ６２の第２ワーム６２１が設けられている。第２ワーム６２１は第５下ギア６３１と噛合う。第５下ギア６３１と一体に結合する第５上ギア６３２は第６下ギア６４１と噛み合う。第６下ギア６４１と一体に結合する第６上ギア６４２は第７ギア６５１と噛み合う。第７ギア６５１は第７ギア軸６５２に固定されている。第７ギア軸６５２は、第２按摩ヘッド６６と第２一方向ベアリング６５３を伝動することが可能である。第２一方向ベアリング６５３は第３傘歯車６７を伝動することが可能である。第２人字形溝付きねじ軸６８は、一端に第４傘歯車６８１が固定されており、第２ケース部６１から外部に突出する。第３傘歯車６７と第４傘歯車６８１は互いに噛合う。第２人字形溝付きねじ軸６８の他端に第２支持台６９が設けられている。第２支持台６９の内部には、第２歯形ブロック６９２に第２バネ６９１が設けられている。第２歯形ブロック６９２は、第２人字形溝付きねじ軸６８の第２人字形溝６８２と噛合う。このように、第２人字形溝付きねじ軸６８を回転しているときには、第２人字形溝付きねじ軸６８が第２歯形ブロック６９２に押付けられて左方に移動して、左方の限界に到達すると右方に移動して、右方の限界に到達すると左方に移動する。すなわち、このような移動は繰り返される。第２モータ６２の第２ワーム６２１は、第２ギアユニット６３を駆動して、第７ギア軸６５２を時計方向に回転する。このとき、第２一方向ベアリング６５３が駆動されて回転して、第３傘歯車６７、第４傘歯車６８１及び第２人字形溝付きねじ軸６８が駆動されて回転して、第２ケース部６１は、第２人字形溝付きねじ軸６８に駆動されて左方に移動して、左方の限界に到達すると右方に移動して、右方の限界に到達すると左方に移動する。すなわち、このような移動は繰り返される。そして第７ギア軸６５２は第２按摩ヘッド６６を駆動して回転する。これは、本考案の挟み式マッサージ機の左右に移動しながら按摩するモードである。第２モータ６２の第２ワーム６２１が第２ギアユニット６３を駆動して第７ギア軸６５２を反時計方向に回転するときには、第２一方向ベアリング６５３が空転し、第２ケース部６１が静止し、このとき、第７ギア軸６５２は第２按摩ヘッド６６を駆動して回転する。これは、本考案の挟み式マッサージ機の定点で按摩するモードである。
【００２２】
図１０から図１４を参照する。本発明の挟み式マッサージ機は、人体の曲線に合わせて挟み、又は開くことが可能である。第１按摩ヘッド５６と第２按摩ヘッド６６は、人体のツボを有効に按摩することが可能である。フレーム１０の両端にそれぞれ設けられているハンドル１１を握って適当な力を加えると、本発明の挟み式マッサージ機により人体を迅速に按摩することが可能である。第１按摩ヘッド５６と第２按摩ヘッド６６は、人体のネック部、背部、腰部及び足部に対して、定点で按摩し、又は左右に繰り返して移動しながら按摩することが可能である。
【産業上の利用可能性】
【００２３】
本発明は、マッサージ機に適用することができる。
【符号の説明】
【００２４】
１０  フレーム
１１  ハンドル
２０  中央シャフト
２１  ねじりバネ
３０  右挟み台
３１  ラグ穴
３２  右側自由端
３３  レール
４０  左挟み台
４１  ラグ穴
４２  左側自由端
４３  レール
５０  第１按摩ユニット
５１  第１ケース部
５２  第１モータ
５３  第１ギアユニット
５６  第１按摩ヘッド
５７  第１傘歯車
５８  第１人字形溝付きねじ軸
５９  第１支持台
６０  第２按摩ユニット
６１  第２ケース部
６２  第２モータ
６３  第２ギアユニット
６６  第２按摩ヘッド
６７  第３傘歯車
６８  第２人字形溝付きねじ軸
６９  第２支持台
７０  軸部
７１  係止具
８０  揺動体
８１  環状歯
８２  制御ユニット
８３  バネ
９０  角度定位装置
９１  定位溝
９２  作動溝
９３  リターンスプリング
９４  定位玉
２１１  捩り中心
２１２  第１自由端
２１３  第２自由端
５１１  第１スライド溝
５２１  第１ワーム
５３１  第２下ギア
５３２  第２上ギア
５４１  第３下ギア
５４２  第３上ギア
５５１  第４ギア
５５２  第４ギア軸
５５３  第１一方向ベアリング
５８１  第２傘歯車
５８２  第１人字形溝
５９１  第１バネ
５９２  第１歯形ブロック
６１１  第２スライド溝
６２１  第２ワーム
６３１  第５下ギア
６３２  第５上ギア
６４１  第６下ギア
６４２  第６上ギア
６５１  第７ギア
６５２  第７ギア軸
６５３  第２一方向ベアリング
６８１  第４傘歯車
６８２  第２人字形溝
６９１  第２バネ
６９２  第２歯形ブロック
【要約】
【課題】ネック部、背部、腰部、又は足部の両側を挟んで、二セットの按摩ヘッドにより当該部位を定点で按摩し、又は横に移動しながら按摩する挟み式マッサージ機を提供する。
【解決手段】円弧形を呈する条状にされ、その両側にハンドルがそれぞれ形成されているフレームと、フレームの中央位置に固定されており、一つ以上のねじりバネを有する捩り中心が枢着されている中央シャフトと、その左側にある一セットのラグ穴が中央シャフトに枢着されており、ねじりバネの第１自由端に弾性的に押付けられ、その内部に第１按摩ユニットが設けられている右挟み台と、その右側にある一セットのラグ穴が中央シャフトに枢着されており、ねじりバネの第２自由端に弾性的に押付けられ、その内部に第２按摩ユニットが設けられている左挟み台と、を含む。
【選択図】図１【図１】
0005574391.tif 000002
【図２】
0005574391.tif 000003
【図３】
0005574391.tif 000004
【図４】
0005574391.tif 000005
【図５】
0005574391.tif 000006
【図６】
0005574391.tif 000007
【図７】
0005574391.tif 000008
【図８】
0005574391.tif 000009
【図９】
0005574391.tif 000010
【図１０】
0005574391.tif 000011
【図１１】
0005574391.tif 000012
【図１２】
0005574391.tif 000013
【図１３】
0005574391.tif 000014
【図１４】
0005574391.tif 000015